(57)【要約】      （修正有）【課題】コンクリート構造物におけるクラック発生部を強固な方法で補修したり、あるいはコンクリート構造物における目地形成部を耐久性の強い方法で封止すること。【解決手段】コンクリート壁１における線状クラック２発生部に、入口３Ａ側よりも奥壁３Ｄ側が広い逆台形状の横断面をもつ線状削溝３を形成したあと、該線状削溝３にモルタルあるいは樹脂等の封止材１１を充填して補修する。また、コンクリート構造物の目地形成部に入口側よりも奥壁側が広い逆台形状の横断面をもつ線状削溝を形成したあと、該線状削溝にモルタルあるいは樹脂等の封止材を充填して封止する。【選択図】図３
2010001686.tif 000002
【特許請求の範囲】
【請求項１】
コンクリート壁（１）における線状クラック（２）発生部に、入口（３Ａ）側よりも奥壁（３Ｄ）側が広い逆台形状の横断面をもつ線状削溝（３）を形成したあと、該線状削溝（３）にモルタルあるいは樹脂等の封止材（１１）を充填することを特徴とするコンクリート壁における線状クラック発生部の補修方法。
【請求項２】
コンクリート構造物（２０）の目地形成部（２１）に入口（２３Ａ）側よりも奥壁（２３Ｄ）側が広い逆台形状の横断面をもつ線状削溝（２３）を形成したあと、該線状削溝（２３）にモルタルあるいは樹脂等の封止材（４１）を充填することを特徴とするコンクリート壁の接合部における目地封止方法。
【発明の詳細な説明】
【技術分野】
【０００１】
本願発明は、コンクリート製の水路の壁面やコンクリート構造物の壁面（以下、総合して「コンクリート壁」という。）における線状クラック発生部の補修方法又は、コンクリート製の壁体を多数接合して水路や建築物等の各種コンクリート構造物を構築する場合のコンクリート壁接合部（いわゆる「目地部」）における目地部分の封止方法に関するものである。
【背景技術】
【０００２】
図６にはコンクリート製水路の壁体１０１の一部に不定形状の線状クラック１０２が発生した状態が示されているが、このような場合、従来は図７（Ａ）に示すように、回転工具１３０の回転軸１３１の先端に装着した先細円錐形のドリル１３２で線状クラック１０２に沿って図７（Ｂ）に示すような横断面二等辺三角形状の線状削溝１０３を形成し、そのあとその線状削溝１０３に図８に示すようにモルタルあるいは樹脂等の充填物１１１を充填してクラック発生部を補修していた。ところが、このような従来方式の補修方法では図８において符号１１１′で示すように、クラック発生部に充填した封止材が剥落することが多かった。
【０００３】
なお、コンクリート壁における線状クラック発生部の他の補修方法例としては、図９に例示するように、クラック発生部１０２に入口１０３Ａ側が広く、奥壁１０３Ｄ側が狭い横断面台形状の線状削溝１０３を形成してそこにモルタルや樹脂等の封止材１１１を充填する方法や、図１０に例示するように、クラック発生部１０２に内方が横断面半円形状となっている線状削溝１０３を形成してそこにモルタルあるいは樹脂等の封止材１１１を充填する方法等も行われているが、それらのいずれの方法においても形成した線状削溝１０３の入口側が内方部側よりも外部に向かって広く開口しているため、図８に示す補修方法例の場合と同様、充填した封止材が剥落することが多いというのが実情である。
【０００４】
本願発明者は、上記のような事情に鑑み、コンクリート構造物における線状クラック発生部の補修方法について過去の特許文献等の文献類を調査したが、特に参考になるようなものは発見できなかった。
【発明の開示】
【発明が解決しようとする課題】
【０００５】
本願発明は、コンクリート構造物におけるクラック発生部について新規の補修方法を提案することを第１の目的とする一方、その新規に開発したクラック発生部の補修方法を複数のコンクリート壁の接合部（目地部分）の封止方法にも応用してコンクリート構造物における目地形成部の耐久性を向上させることを第２の目的としてなされたものである。
【課題を解決するための手段】
【０００６】
本願発明は、コンクリート壁における線状クラック発生部の補修方法（第１発明）と、その第１発明の方法をコンクリート壁接合部（目地形成部）の封止方法に応用したコンクリート壁の目地封止方法（第２発明）とからなっているが、以下それらの各発明について説明する。
【０００７】
本願第１発明
本願第１発明は、請求項１に示すように、コンクリート壁１における線状クラック２発生部に、入口３Ａ側よりも奥壁３Ｄ側が広い逆台形状の横断面をもつ線状削溝３を形成したあと、該線状削溝３にモルタルあるいは樹脂等の封止材１１を充填することを特徴とするコンクリート壁における線状クラック発生部の補修方法、である。
【０００８】
本願第２発明
本願第２発明は、請求項２に示すように、コンクリート構造物２０の目地形成部２１に入口２３Ａ側よりも奥壁２３Ｄ側が広い逆台形状の横断面をもつ線状削溝２３を形成したあと、該線状削溝２３にモルタルあるいは樹脂等の封止材４１を充填することを特徴とするコンクリート壁の接合部における目地封止方法、である。
【発明の効果】
【０００９】
本願第１発明（線状クラック発生部補修方法）も、本願第２発明（コンクリート壁接合部の目地封止方法）も、いずれも線状クラック発生部又は目地部分に形成される線状削溝３（２３）の横断面が、入口３Ａ（２３Ａ）側よりも奥壁３Ｄ（２３Ｄ）側が広い逆台形状となっているため、線状削溝３（２３）に充填される封止材１１（４１）が線状削溝３（２３）の外方側へ剥落せず、したがって長期間に亘って線状クラック発生部又は目地形成部を封止することができるという効果がある。
【発明を実施するための最良の形態】
【００１０】
以下、図１ないし図５を参照しつつ、本願第１発明の実施例にかかるコンクリート壁線状クラックの補修方法（第１実施例）と、本願第２発明の実施例にかかるコンクリート壁の接合部における目地封止方法（第２実施例）を説明する。
【００１１】
第１実施例
図１には水路を構成するコンクリート壁１に発生した不定形状の線状クラック２部分を補修する場合の補修方法例が示されている。
【００１２】
図２にはこの実施例において線状クラック２発生部に線状削溝３を形成する方法が示されている。すなわち、この実施例の場合は、図２（Ａ）に符号３０で示すように、回転軸３１の先端に基部３２Ａ側が小径で先端３２Ｄ側が大径の逆円錐台形状のドリル３２を装着した回転工具を使用し、そのドリル３２によってコンクリート壁１における線状クラック２に沿って図２（Ｂ）に示すように、横断面逆台形状の線状削溝３（入口３Ａ側の幅より奥壁３Ｄ側の幅が広く、両側面３Ｂ，３Ｃが傾斜面となっている）を形成する。そして、横断面逆台形状の線状削溝３が形成されたあとは、その線状削溝３内に図３に示すようにモルタルあるいは樹脂等（たとえば、アクリル、ウレタン等）からなる封止材１１を充填して固化させる。そのようにして線状削溝３に充填された封止材１１は、その固化後は、線状削溝３の斜側壁３Ｂ，３Ｃに妨げられて線状削溝３外へ剥落することなく、長期間に亘って線状クラック２発生部を封止することができる。
【００１３】
第２実施例
図４には複数のコンクリート壁１，１，１を接合して１つのコンクリート構造物（たとえば建物の塀）２０を構築する場合の施工例を示している。このような壁体接合構造のコンクリート構造物を構築する場合は、隣接する２枚のコンクリート壁１，１間の接合部（目地部分）２１にピッチ等からなる封止材を充填するのが通例である。
【００１４】
図５（Ａ），（Ｂ），（Ｃ）には、上記目地部分２１に、本願第２発明の方法によってモルタルあるいは樹脂等の封止材を充填する場合の施工例が示されているので、以下これを説明する。
【００１５】
図４に示すような隣接する一対のコンクリート壁１，１の間の目地部分２１に対しては、通常の場合、図５（Ａ）において符号２２で示す目地充填材（たとえば、ピッチ等）が充填される。
【００１６】
そして、この第２実施例の施工方法では、図２（Ａ）に示されている回転工具３０と同様の回転工具を使用し、その回転軸３１の先端に装着している逆台形状の円錐ドリル３２によって図５（Ｂ）に符号２３で示すような横断面逆台形状（入口２３Ａ側の幅よりも奥壁２３Ｄ側の幅が大きい）の線状削溝２３を形成する。そのあと図５（Ｃ）に示すように、線状削溝２３にモルタルあるいは樹脂等の封止材４１を充填して固化させれば目地形成部の封止が完了する。この場合、線状削溝２３は入口２３Ａ側の幅が奥壁２３Ｄ側の幅よりも小さくなっているから、封止材４１は両側の斜側壁２３Ｂ，２３Ｃによって妨げられて外方へ剥落することがない。
【００１７】
このようにして、目地形成部における封止材の耐久性を向上させることができる。
【図面の簡単な説明】
【００１８】
【図１】本願第１発明の実施例にかかるコンクリート壁における線状クラック発生部の補修方法の説明図である。
【図２】図１に示されている線状クラック発生部分に線状削溝を形成する施工方法の説明図である。
【図３】図２（Ｂ）に示す線状削溝に封止材を充填した状態の説明図である。
【図４】本願第２発明の実施例にかかるコンクリート壁接合部における目地封止方法の説明図である。
【図５】本願第２実施例の目地封止方法の施工方法説明図である。
【図６】従来のコンクリート構造物における線状クラックの発生状況説明図である。
【図７】従来の方法による線状クラック発生部の補修方法説明図である。
【図８】従来の方法によって線状クラック発生部を補修した場合の状況説明図である。
【図９】他の従来方法によって線状クラック発生部を補修した場合の状況説明図である。
【図１０】さらに他の従来方法によって線状クラック発生部を補修した場合の状況説明図である。
【符号の説明】
【００１９】
１はコンクリート壁、２は線状クラック、３は線状削溝、１１は封止材、２０はコンクリート構造物、２１は目地部分、２３は線状削溝、４１は封止材である。
【図１】
2010001686.tif 000003
【図２】
2010001686.tif 000004
【図３】
2010001686.tif 000005
【図４】
2010001686.tif 000006
【図５】
2010001686.tif 000007
【図６】
2010001686.tif 000008
【図７】
2010001686.tif 000009
【図８】
2010001686.tif 000010
【図９】
2010001686.tif 000011
【図１０】
2010001686.tif 000012